(57)【特許請求の範囲】
【請求項１】
番組区間とＣＭ区間とからなるＡＶコンテンツの少なくとも一部を出力するＡＶコンテンツ処理装置であって、
前記番組区間とＣＭ区間との境界を示す境界情報を取得する取得手段と、
前記ＡＶコンテンツにおける前記番組区間または前記ＣＭ区間のいずれか一方を抽出して出力させるための指示をユーザから受け付ける第１受付手段と、
前記第１受付手段によって受け付けられた指示の種類に応じて、前記ＣＭ区間が短くなる方向へ前記境界を移動させるか、前記ＣＭ区間が長くなる方向へ前記境界を移動させるかを決定し、決定した方向へ前記境界を移動させるように前記境界情報の内容を修正する境界修正手段と、
前記第１受付手段によって指示が受け付けられた場合、前記修正された境界情報に従って番組区間とＣＭ区間との境界を判断して、当該指示により示される区間を抽出して出力する出力制御手段とを備える、ＡＶコンテンツ処理装置。
【請求項２】
前記第１受付手段は、前記ＡＶコンテンツの番組区間の少なくとも一部を出力させるための番組出力指示、および、前記ＡＶコンテンツのＣＭ区間の少なくとも一部を出力させるためのＣＭ出力指示をユーザから受け付けることが可能であり、
前記境界修正手段は、前記番組出力指示が前記第１受付手段によって受け付けられた場合、前記ＣＭ区間が短くなる方向へ前記境界を移動させるように前記境界情報の内容を修正し、前記ＣＭ出力指示が前記第１受付手段によって受け付けられた場合、前記ＣＭ区間が長くなる方向へ前記境界を移動させるように前記境界情報の内容を修正し、
前記出力制御手段は、前記番組出力指示が前記第１受付手段によって受け付けられた場合、前記修正された境界情報において番組区間として示される区間を抽出して出力し、前記ＣＭ出力指示が前記第１受付手段によって受け付けられた場合、前記修正された境界情報においてＣＭ区間として示される区間を抽出して出力する、請求項１に記載のＡＶコンテンツ処理装置。
【請求項３】
前記出力制御手段によって出力中の前記ＡＶコンテンツの一部をスキップするスキップ指示を前記ユーザから受け付ける第２受付手段をさらに備え、
前記出力制御手段は、修正前の前記境界情報におけるＣＭ区間の始端の境界と、修正後の前記境界情報における当該ＣＭ区間の始端の境界との間のＡＶコンテンツを出力している時点で前記第２受付手段によって前記スキップ指示が受け付けられた場合、修正後の前記境界情報における当該ＣＭ区間の終端までＡＶコンテンツの出力をスキップし、修正前の前記境界情報におけるＣＭ区間の終端の境界と、修正後の前記境界情報における当該ＣＭ区間の終端の境界との間のＡＶコンテンツを出力している時点で前記第２受付手段によって前記スキップ指示が受け付けられた場合、修正前の前記境界情報における当該ＣＭ区間の終端までＡＶコンテンツの出力をスキップする、請求項２に記載のＡＶコンテンツ処理装置。
【請求項４】
前記ＡＶコンテンツにおける音声または映像の特徴を示すパラメータを算出し、当該パラメータが所定の条件を満たす区間を特徴区間として検出する検出手段をさらに備え、
前記受付手段は、前記番組区間内の前記特徴区間を抽出して出力する特徴出力指示を前記ユーザから受け付けることが可能であり、
前記境界修正手段は、前記特徴出力指示が前記第１受付手段によって受け付けられた場合、前記ＣＭ区間が長くなる方向へ前記境界を移動させるように前記境界情報の内容を修正し、
前記出力制御手段は、前記特徴出力指示が前記第１受付手段によって受け付けられた場合、前記修正された境界情報において番組区間として示される区間内に含まれる前記特徴区間を抽出して出力する、請求項１に記載のＡＶコンテンツ処理装置。
【請求項５】
前記ＡＶコンテンツにおける音声または映像の特徴を示すパラメータを算出し、当該パラメータが所定の条件を満たす区間を特徴区間として検出する検出手段をさらに備え、
前記受付手段は、前記番組区間内の前記特徴区間を抽出して出力する特徴出力指示を前記ユーザから受け付けることが可能であり、
前記境界修正手段は、前記特徴出力指示が前記第１受付手段によって受け付けられた場合、前記ＣＭ区間が短くなる方向へ前記境界を移動させるように前記境界情報の内容を修正し、
前記出力制御手段は、前記特徴出力指示が前記第１受付手段によって受け付けられた場合、前記修正された境界情報において番組区間として示される区間内に含まれる前記特徴区間を抽出して出力する、請求項１に記載のＡＶコンテンツ処理装置。
【請求項６】
前記取得手段は、前記ＣＭ区間内におけるＣＭ数を示すＣＭ数情報と当該ＣＭ区間の長さを示す長さ情報とをさらに取得し、
前記境界修正手段は、ＣＭ区間の始端の境界および終端の境界を移動させる移動量を、当該ＣＭ区間に関する前記ＣＭ数情報および前記長さ情報に基づいて決定する、請求項１に記載のＡＶコンテンツ処理装置。
【請求項７】
前記境界修正手段は、ＣＭ区間の始端の境界および終端の境界を移動させる移動量を、当該ＣＭ区間の直前の番組区間の長さに基づいて決定する、請求項１に記載のＡＶコンテンツ処理装置。
【請求項８】
前記境界修正手段は、ＣＭ区間の始端の境界および終端の境界を移動させる移動量を、前記ＡＶコンテンツの全体の長さに対する、当該ＡＶコンテンツの開始点から当該ＣＭ区間までの長さの割合に基づいて決定する、請求項１に記載のＡＶコンテンツ処理装置。
【請求項９】
前記境界修正手段は、あるＣＭ区間について所定の条件が満たされた場合、当該ＣＭ区間の始端の境界および終端の境界を消去するように前記境界情報を修正する、請求項１に記載のＡＶコンテンツ処理装置。
【請求項１０】
前記ＡＶコンテンツに含まれる番組に関する情報である番組情報を取得する番組情報取得手段を更に備え、
前記境界修正手段は、前記取得された番組情報に基づいて、前記境界を移動させる移動量を変化させる、請求項１記載のＡＶコンテンツ処理装置。
【請求項１１】
番組区間とＣＭ区間とからなるＡＶコンテンツの少なくとも一部を出力するＡＶコンテンツ処理方法であって、
前記番組区間とＣＭ区間との境界を示す境界情報を取得する取得ステップと、
前記ＡＶコンテンツにおける前記番組区間または前記ＣＭ区間のいずれか一方を抽出して出力させるための指示をユーザから受け付ける第１受付ステップと、
前記第１受付ステップによって受け付けられた指示の種類に応じて、前記ＣＭ区間が短くなる方向へ前記境界を移動させるか、前記ＣＭ区間が長くなる方向へ前記境界を移動させるかを決定し、決定した方向へ前記境界を移動させるように前記境界情報の内容を修正する境界修正ステップと、
前記第１受付ステップによって指示が受け付けられた場合、前記修正された境界情報に従って番組区間とＣＭ区間との境界を判断して、当該指示により示される区間を抽出して出力する出力制御ステップとを備える、ＡＶコンテンツ処理方法。
【請求項１２】
番組区間とＣＭ区間とからなるＡＶコンテンツの少なくとも一部を出力するＡＶコンテンツ処理装置のコンピュータに実行させるＡＶコンテンツ処理プログラムであって、
前記番組区間とＣＭ区間との境界を示す境界情報を取得する取得ステップと、
前記ＡＶコンテンツにおける前記番組区間または前記ＣＭ区間のいずれか一方を抽出して出力させるための指示をユーザから受け付ける第１受付ステップと、
前記第１受付ステップによって受け付けられた指示の種類に応じて、前記ＣＭ区間が短くなる方向へ前記境界を移動させるか、前記ＣＭ区間が長くなる方向へ前記境界を移動させるかを決定し、決定した方向へ前記境界を移動させるように前記境界情報の内容を修正する境界修正ステップと、
前記第１受付ステップによって指示が受け付けられた場合、前記修正された境界情報に従って番組区間とＣＭ区間との境界を判断して、当該指示により示される区間を抽出して出力する出力制御ステップとを前記コンピュータに実行させる、ＡＶコンテンツ処理プログラム。
【請求項１３】
番組区間とＣＭ区間とからなるＡＶコンテンツの少なくとも一部を出力するＡＶコンテンツ処理装置に用いる集積回路であって、
前記番組区間とＣＭ区間との境界を示す境界情報を取得する取得部と、
前記ＡＶコンテンツにおける前記番組区間または前記ＣＭ区間のいずれか一方を抽出して出力させるためのユーザによる指示を入力し、当該指示の種類に応じて、前記ＣＭ区間が短くなる方向へ前記境界を移動させるか、前記ＣＭ区間が長くなる方向へ前記境界を移動させるかを決定し、決定した方向へ前記境界を移動させるように前記境界情報の内容を修正する境界修正部とを備える、ＡＶコンテンツ処理装置に用いる集積回路。
【発明の詳細な説明】
【技術分野】
【０００１】
本発明は、ＡＶコンテンツの再生等を行う装置に関し、より特定的には、ＣＭ区間の検出に関する。
【背景技術】
【０００２】
従来、テレビジョン放送信号からコマーシャルメッセージ（以後ＣＭと呼ぶ）部分と番組内容部分とを区別する方法として、切り替え間隔検出方法が知られている（例えば、特許文献１参照）。この方法では、ＣＭ部分を識別する識別装置は、音声信号のレベル変化、映像信号の変化、音声信号の多重化などのＡＶ信号の特徴に着目して、ＣＭと番組と切換え部分を検出する。そして、識別装置は、検出した切換え間隔が所定の間隔であるかどうかを判定して、記録再生装置において記録・再生されるコンテンツ内のＣＭ部分の識別を行っている。この方式を用いることで、ステレオ放送かモノラル放送かを問わずコマーシャルを検出することができる。
【０００３】
図２０および図２１を用いて、従来のＣＭ区間の検出方法の一例を説明する。図２０は、ある放送コンテンツにおける番組区間とＣＭ区間を模式的に示す図である。図２０において、放送コンテンツは番組区間とＣＭ区間とから構成されている。また、ＣＭ区間には、１以上（図２０では５つ）のＣＭクリップ（以下、ＣＭと称す）が含まれている。ここで、ＣＭには、一般的に、ＣＭの最初と最後には無音区間が存在するという特徴と、１本のＣＭは特定の時間（一般的には、１５秒、３０秒、６０秒のいずれか）であるという特徴とがある。これらの特徴を利用して音声信号のレベル変化を検出することで、ＣＭ区間を検出することができる。
【０００４】
次に、図２１を用いて、ＣＭ区間を検出する方法の一例を示す。ここでは、１本のＣＭの長さは１５秒であるものとする。まず、識別装置は、音声信号のレベル変化を検出することで放送コンテンツ内の無音区間Ｓｎ＋ｍ（ｍ＝０，１，２，３，…）を抽出する。次に、識別装置は、ＣＭの最初と最後には無音区間があるという特徴を利用し、無音区間Ｓｎが１５秒間隔で存在する区間を検出する。図２１においては、識別装置は、まず、無音区間Ｓｎと無音区間Ｓｎ＋１との間隔を検出し、１５秒以下であるかどうかを判定する。１５秒よりも短ければ、識別装置は、無音区間Ｓｎと、ｍに１を加えた無音区間Ｓｎ＋２との間隔を検出する。つまり、識別装置は、無音区間Ｓｎと無音区間Ｓｎ＋１、無音区間ＳｎとＳｎ＋２というように順番に間隔を検出していくことになる。そして、無音区間Ｓｎとの間隔が１５秒となる無音区間Ｓｎ＋ｉ（ｉは１以上の整数）があれば、無音区間Ｓｎから無音区間Ｓｎ＋ｉまでの区間は１本のＣＭを構成する区間（単位ＣＭ区間）であると判断される。一方、無音区間Ｓｎとの間隔が１５秒よりも長い無音区間Ｓｎ＋ｉがあれば、無音区間Ｓｎから無音区間Ｓｎ＋ｉまでの区間は番組区間であると判断される。図２０の場合であれば、無音区間Ｓｎと無音区間Ｓｎ＋２との間隔が１５秒である。そのため、識別装置は、無音区間Ｓｎから無音区間Ｓｎ＋２までの区間を１つの単位ＣＭ区間であると検出する。単位ＣＭ区間を検出すると、識別装置は、当該単位ＣＭ区間の終わりに相当する無音区間Ｓｎ＋２を基準として、次の無音区間との間隔が１５秒以下であるかどうかを判定していく。そして、識別装置は、無音区間Ｓｎ＋２との間隔が１５秒となる無音区間Ｓｎ＋ｊ（ｊ＝３，４，５，…）があれば、無音区間Ｓｎから無音区間Ｓｎ＋ｊまでの区間は１つの単位ＣＭ区間を構成すると判断する。
【０００５】
このように、識別装置は、ある無音区間と他の無音区間との間隔が１５秒となる区間を単位ＣＭ区間として検出していく。そして、単位ＣＭ区間が所定値以上（例えば３以上）連続している区間をＣＭ区間として検出する。図２１においては、無音区間Ｓｎから無音区間Ｓｎ＋２までの区間、無音区間Ｓｎ＋２から無音区間Ｓｎ＋５までの区間、無音区間Ｓｎ＋５から無音区間Ｓｎ＋８までの区間、無音区間Ｓｎ＋８から無音区間Ｓｎ＋９までの区間、そして無音区間Ｓｎ＋９から無音区間Ｓｎ＋１２までの区間の５つの区間が単位ＣＭ区間として検出される。そして、当該５つの単位ＣＭ区間は連続しているため、この５つの単位ＣＭ区間を合わせた区間がＣＭ区間であると検出される。なお、ここでは１５秒か否かで判定したが、更に３０秒、６０秒であるか否かも併用してＣＭを検出する場合もある。
【特許文献１】特開平２−８１３４４号公報
【発明の開示】
【発明が解決しようとする課題】
【０００６】
しかしながら、上述したＣＭ区間の検出方法においては、検出誤りが発生する。これは、上述したようなＣＭの特徴と同じ特徴を番組がもつ場合や、逆にＣＭが上記特徴をもたない場合があるからである。一般的に、ＣＭの最初と最後には無音区間が存在し、その無音区間においては音声信号のパワーレベルが低くなる。しかし、ＣＭによってはパワーレベルが下がらないものもある。このようにパワーレベルの変化の乏しい区間については、上述した検出方式では、ＣＭ区間として検出することができない。つまり、実際にはＣＭ区間であっても、音声信号のパワーレベル等の変化が乏しければ、ＣＭ区間として検出されないことがある。また、所定の時間間隔で２つの無音区間が検出された場合は、その２つの無音区間の間の区間が実際には番組区間であっても、単位ＣＭ区間として検出される。そのため、従来の検出方法では、すべてのＣＭ区間を正確に検出することは難しい。
【０００７】
例えば、ＣＭ区間の検出における上記誤検出のために、実際には番組区間である区間がＣＭ区間と判断されてしまった場合を考える。この場合、ＣＭスキップ再生が行われると、実際には番組区間であっても、ＣＭ区間と判断された区間はスキップされる。したがって、誤検出によって番組区間がＣＭ区間と判断されると、ユーザは、番組区間の一部を見逃してしまうことになり、不快感を抱くと考えられる。つまり、従来の検出方法をそのまま用いる場合、上記のような誤検出が発生すると、誤検出によってユーザが不快感を抱くおそれがある。
【０００８】
それ故、本発明の目的は、ＣＭ区間を検出する際に誤検出があった場合に、ユーザに与える不快感を軽減することができるＡＶコンテンツ処理装置を提供することである。
【課題を解決するための手段】
【０００９】
上記目的を達成するために、本発明は以下のような構成を採用した。
【００１０】
本発明の第１の局面は、番組区間とＣＭ区間とからなるＡＶコンテンツの少なくとも一部を出力するＡＶコンテンツ処理装置であって、番組区間とＣＭ区間との境界を示す境界情報を取得する取得手段と、ＡＶコンテンツにおける番組区間またはＣＭ区間のいずれか一方を抽出して出力させるための指示をユーザから受け付ける第１受付手段と、第１受付手段によって受け付けられた指示の種類に応じて、ＣＭ区間が短くなる方向へ境界を移動させるか、ＣＭ区間が長くなる方向へ境界を移動させるかを決定し、決定した方向へ境界を移動させるように境界情報の内容を修正する境界修正手段と、第１受付手段によって指示が受け付けられた場合、修正された境界情報に従って番組区間とＣＭ区間との境界を判断して、当該指示により示される区間を抽出して出力する出力制御手段とを備える、ＡＶコンテンツ処理装置である。なお、ここにいう出力には、モニタ等へのＡＶコンテンツの出力のほか、他の記録媒体へのＡＶコンテンツの出力も含む。
【００１１】
本発明の第２の局面は、第１の局面において、第１受付手段は、ＡＶコンテンツの番組区間の少なくとも一部を出力させるための番組出力指示、および、ＡＶコンテンツのＣＭ区間の少なくとも一部を出力させるためのＣＭ出力指示をユーザから受け付けることが可能であり、境界修正手段は、番組出力指示が第１受付手段によって受け付けられた場合、ＣＭ区間が短くなる方向へ境界を移動させるように境界情報の内容を修正し、ＣＭ出力指示が第１受付手段によって受け付けられた場合、ＣＭ区間が長くなる方向へ境界を移動させるように境界情報の内容を修正し、出力制御手段は、番組出力指示が第１受付手段によって受け付けられた場合、修正された境界情報において番組区間として示される区間を抽出して出力し、ＣＭ出力指示が第１受付手段によって受け付けられた場合、修正された境界情報においてＣＭ区間として示される区間を抽出して出力する。
【００１２】
本発明の第３の局面は、第２の局面において、出力制御手段によって出力中の前記ＡＶコンテンツの一部をスキップするスキップ指示をユーザから受け付ける第２受付手段をさらに備え、出力制御手段は、修正前の境界情報におけるＣＭ区間の始端の境界と、修正後の境界情報における当該ＣＭ区間の始端の境界との間のＡＶコンテンツを出力している時点で第２受付手段によってスキップ指示が受け付けられた場合、修正後の境界情報における当該ＣＭ区間の終端までＡＶコンテンツの出力をスキップし、修正前の境界情報におけるＣＭ区間の終端の境界と修正後の境界情報における当該ＣＭ区間の終端の境界との間のＡＶコンテンツを出力している時点で第２受付手段によってスキップ指示が受け付けられた場合、修正前の境界情報における当該ＣＭ区間の終端までＡＶコンテンツの出力をスキップする。
【００１３】
本発明の第４の局面は、第１の局面において、ＡＶコンテンツにおける音声または映像の特徴を示すパラメータを算出し、当該パラメータが所定の条件を満たす区間を特徴区間として検出する検出手段をさらに備え、受付手段は、番組区間内の特徴区間を抽出して出力する特徴出力指示をユーザから受け付けることが可能であり、境界修正手段は、特徴出力指示が第１受付手段によって受け付けられた場合、ＣＭ区間が長くなる方向へ境界を移動させるように境界情報の内容を修正し、出力制御手段は、特徴出力指示が第１受付手段によって受け付けられた場合、修正された境界情報において番組区間として示される区間内に含まれる特徴区間を抽出して出力する。
【００１４】
本発明の第５の局面は、第１の局面において、ＡＶコンテンツにおける音声または映像の特徴を示すパラメータを算出し、当該パラメータが所定の条件を満たす区間を特徴区間として検出する検出手段をさらに備え、受付手段は、番組区間内の特徴区間を抽出して出力する特徴出力指示をユーザから受け付けることが可能であり、境界修正手段は、特徴出力指示が第１受付手段によって受け付けられた場合、ＣＭ区間が短くなる方向へ境界を移動させるように境界情報の内容を修正し、出力制御手段は、特徴出力指示が第１受付手段によって受け付けられた場合、修正された境界情報において番組区間として示される区間内に含まれる特徴区間を抽出して出力する。
【００１５】
本発明の第６の局面は、第１の局面において、取得手段は、ＣＭ区間内におけるＣＭ数を示すＣＭ数情報と当該ＣＭ区間の長さを示す長さ情報とをさらに取得し、境界修正手段は、ＣＭ区間の始端の境界および終端の境界を移動させる移動量を、当該ＣＭ区間に関するＣＭ数情報および長さ情報に基づいて決定する。
【００１６】
本発明の第７の局面は、第１の局面において、境界修正手段は、ＣＭ区間の始端の境界および終端の境界を移動させる移動量を、当該ＣＭ区間の直前の番組区間の長さに基づいて決定する。
【００１７】
本発明の第８の局面は、第１の局面において、境界修正手段は、ＣＭ区間の始端の境界および終端の境界を移動させる移動量を、ＡＶコンテンツの全体の長さに対する、当該ＡＶコンテンツの開始点から当該ＣＭ区間までの長さの割合に基づいて決定する。
【００１８】
本発明の第９の局面は、第１の局面において、境界修正手段は、あるＣＭ区間について所定の条件が満たされた場合、当該ＣＭ区間の始端の境界および終端の境界を消去するように境界情報を修正する。
【００１９】
本発明の第１０の局面は、第１の局面において、ＡＶコンテンツに含まれる番組に関する情報である番組情報を取得する番組情報取得手段を更に備え、境界修正手段は、取得された番組情報に基づいて、境界を移動させる移動量を変化させる。
【００２０】
本発明の第１１の局面は、番組区間とＣＭ区間とからなるＡＶコンテンツの少なくとも一部を出力するＡＶコンテンツ処理方法であって、番組区間とＣＭ区間との境界を示す境界情報を取得する取得ステップと、ＡＶコンテンツにおける番組区間またはＣＭ区間のいずれか一方を抽出して出力させるための指示をユーザから受け付ける第１受付ステップと、第１受付ステップによって受け付けられた指示の種類に応じて、ＣＭ区間が短くなる方向へ境界を移動させるか、ＣＭ区間が長くなる方向へ境界を移動させるかを決定し、決定した方向へ境界を移動させるように境界情報の内容を修正する境界修正ステップと、第１受付ステップによって指示が受け付けられた場合、修正された境界情報に従って番組区間とＣＭ区間との境界を判断して、当該指示により示される区間を抽出して出力する出力制御ステップとを備える、ＡＶコンテンツ処理方法である。
【００２１】
本発明の第１２の局面は、番組区間とＣＭ区間とからなるＡＶコンテンツの少なくとも一部を出力するＡＶコンテンツ処理装置のコンピュータに実行させるＡＶコンテンツ処理プログラムであって、番組区間とＣＭ区間との境界を示す境界情報を取得する取得ステップと、ＡＶコンテンツにおける番組区間またはＣＭ区間のいずれか一方を抽出して出力させるための指示をユーザから受け付ける第１受付ステップと、第１受付ステップによって受け付けられた指示の種類に応じて、ＣＭ区間が短くなる方向へ境界を移動させるか、ＣＭ区間が長くなる方向へ境界を移動させるかを決定し、決定した方向へ境界を移動させるように境界情報の内容を修正する境界修正ステップと、第１受付ステップによって指示が受け付けられた場合、修正された境界情報に従って番組区間とＣＭ区間との境界を判断して、当該指示により示される区間を抽出して出力する出力制御ステップとをコンピュータに実行させる、ＡＶコンテンツ処理プログラムである。
【００２２】
本発明の第１３の局面は、番組区間とＣＭ区間とからなるＡＶコンテンツの少なくとも一部を出力するＡＶコンテンツ処理装置に用いる集積回路であって、番組区間とＣＭ区間との境界を示す境界情報を取得する取得部と、ＡＶコンテンツにおける番組区間またはＣＭ区間のいずれか一方を抽出して出力させるためのユーザによる指示を入力し、当該指示の種類に応じて、ＣＭ区間が短くなる方向へ境界を移動させるか、ＣＭ区間が長くなる方向へ境界を移動させるかを決定し、決定した方向へ境界を移動させるように境界情報の内容を修正する境界修正部とを備える、ＡＶコンテンツ処理装置に用いる集積回路である。
【発明の効果】
【００２３】
本発明の第１の局面によれば、番組区間とＣＭ区間との境界の位置を修正することができる。そのため、ＣＭスキップ再生等において、ＣＭの誤検出に起因する番組の一部の見落としを防ぐことができる。これにより、ＣＭ区間を検出する際に発生する検出誤りによってユーザに与えていた不快感を軽減することができ、快適なＡＶコンテンツの視聴環境を提供できる。
【００２４】
本発明の第２の局面によれば、番組出力指示を受け付けたときは、ＣＭ区間を短くし、ＣＭ出力指示を受け付けたときは、ＣＭ区間を長くする。これにより、番組出力指示のときにおいて、番組区間であるにも関わらずＣＭ区間として検出されていた区間について、番組区間として出力させることができ、番組区間の見落としを軽減することができる。また、ＣＭ出力指示のときにおいて、ＣＭ区間であるにも関わらず番組区間として検出されていた区間について、ＣＭ区間として出力させることができ、ＣＭ区間の見落としを軽減することができる。
【００２５】
本発明の第３の局面によれば、修正後のＣＭ区間を用いて再生しても、なおＣＭが再生された場合、ユーザによるスキップ指示によって修正前あるいは修正後のＣＭ区間の終端まで再生をスキップできる。これにより、番組区間の見落としなく、かつ簡単な操作でＣＭをスキップすることができ、快適なＡＶコンテンツの視聴をユーザに提供することができる。
【００２６】
本発明の第４の局面によれば、特徴的イベント区間のみを出力するに際して、修正後のＣＭ区間を用いて出力できる。これにより、特徴的イベント区間として検出されていたＣＭ区間の出力を抑制することができる。
【００２７】
本発明の第５の局面によれば、特徴的イベント区間のみを出力するに際して、修正後のＣＭ区間を用いて出力できる。これにより、ＣＭ区間として検出されていた特徴的イベント区間の見落としを軽減することができる。
【００２８】
本発明の第６の局面によれば、ＣＭ区間の特性に応じてＣＭ区間の境界の移動幅を決定できる。これにより、より細やかで的確なＣＭ区間の修正が可能となる。
【００２９】
本発明の第７の局面によれば、ＣＭ区間直前の番組区間の長さに応じて、ＣＭ区間の境界の移動幅を決定できる。そのため、番組の特性に応じた、より細やかで的確な修正が可能となる。
【００３０】
本発明の第８の局面によれば、番組の経過割合に応じてＣＭ区間の境界の移動幅を決定できる。そのため、番組の性質に応じたより細やかで的確な修正が可能となる。
【００３１】
本発明の第９の局面によれば、番組区間内において、誤ってＣＭ区間と検出された微小なＣＭ区間を消去することができ、ＣＭスキップ再生時における番組視聴に際して、番組区間の欠落を防ぐことができる。
【００３２】
本発明の第１０の局面によれば、番組のジャンル等の番組内容に応じてＣＭ区間の境界の移動幅を決定できる。そのため、番組の性質・内容に応じたより細やかで的確な修正が可能となる。
【００３３】
また、本発明の第１１〜第１３の局面によれば、本発明の第１の局面と同様の効果が得られる。
【発明を実施するための最良の形態】
【００３４】
以下、本発明の実施の形態について、図面を参照して説明する。尚、この実施例により本発明が限定されるものではない。
【００３５】
（第１の実施形態）
図１は、本発明の第１の実施形態に係るＡＶコンテンツ処理装置１０（以下、編集再生装置と呼ぶ）を含むＡＶシステムの概観図である。図１において、編集再生装置１０は、モニタ１１と接続されている。編集再生装置１０は、例えば、ビデオテープレコーダやＤＶＤレコーダ等として実現される。編集再生装置１０には、図示しない受信部によって受信された音声映像情報が図示しない蓄積部に蓄積される。なお、受信された音声映像情報は復号化されており、圧縮符号化されたデータは図示しない復号部により復号されている。また、ユーザはリモコン１２を介して編集再生装置１０の操作を行う。
【００３６】
図２は、編集再生装置１０の構成を示したブロック図である。図２において、編集再生装置１０は、ＣＭ検出手段１０１と用途受付手段１０２と境界修正手段１０３と再生制御手段１０４と修正幅決定テーブル格納手段１０５とで構成される。
【００３７】
ＣＭ検出手段１０１は、図示しない蓄積部から入力されるＡＶコンテンツ（ＡＶ信号）から番組区間とＣＭ区間との境界を示す境界情報を取得する。具体的には、ＣＭ検出手段１０１は、例えば上述した切り替え間隔検出方式を用いて、当該ＡＶコンテンツのＣＭ区間を検出する。ＣＭ区間の検出方法は、音声信号の変化を利用する方法に限らず、映像信号を用いた方法であってもよい。ＣＭ検出手段１０１は、当該検出したＣＭ区間の始端および終端を示す時刻情報（境界情報に相当）を取得し、境界修正手段１０３に出力する。また、当該時刻情報には、各ＣＭ区間に含まれるＣＭ（単位ＣＭ区間）の数と各単位ＣＭ区間の位置を示す情報も含まれる。図３は、時刻情報の一例を示す図である。図３においては、時刻情報には、ＣＭ区間とそのＣＭ区間の始端および終端の時刻とを対応づける情報が含まれる。さらに、図３に示す時刻情報には、ＣＭ区間に含まれる各単位ＣＭ区間の始端および終端の時刻を示す情報が含まれる。ここでは、始端および終端の時刻は、ＡＶコンテンツの開始時刻を基準として（ＡＶコンテンツの開始時刻を０として）表される。なお、時刻情報は、各単位ＣＭ区間の境界（始端および終端の時刻）を示す情報であればどのような情報であってもよい。図３においては、ある蓄積コンテンツ内のＣＭ区間ごとに区間番号が振られている。図３において、例えば、区間番号１のＣＭ区間については、番組開始後１分の時点から２分の時点までがＣＭ区間として検出されている。また、当該ＣＭ区間には４つの単位ＣＭ区間が含まれており、各単位ＣＭ区間の始端・終端時刻についての情報も含まれている。
【００３８】
用途受付手段１０２は、ＡＶコンテンツにおける所定の区間を抽出して出力させるための指示をユーザから受け付ける。具体的には、ＣＭスキップ再生を行う指示や、ＣＭを編集するための編集候補点検出を行う指示などの指示をユーザから受け付ける。これらの指示は、放送コンテンツを再生する際のユーザの用途（目的）を示す。すなわち、ＣＭスキップ再生を行う指示（番組出力指示）は、「放送コンテンツのうちで番組区間のみを再生する」というユーザの目的を示している。また、編集候補点検出を行う指示（ＣＭ出力指示）は、「放送コンテンツのうちでＣＭ区間のみを再生する」というユーザの目的を示している。つまり、用途入力手段は、放送コンテンツを再生する際のユーザの視聴用途、例えばＣＭスキップ再生やＣＭ編集等の視聴用途を受け付ける手段である。以下では、上記指示のような、ユーザの視聴用途を示す情報を用途情報と呼ぶ。また、用途受付手段１０２は、受け付けた用途情報を境界修正手段１０３に出力する。本実施形態では、用途受付手段１０２はリモコン１２に相当するが、入力についてはこれに限らず、例えば、ユーザによる音声入力を受け付けることが可能であってもよい。
【００３９】
境界修正手段１０３は、用途受付手段１０２から出力された用途情報に応じて、ＣＭ検出手段１０１によって得られた上記時刻情報の内容を修正し、再生制御手段１０４に出力する。つまり、境界修正手段１０３は、ＣＭ区間と番組区間との境界を示すＣＭ境界の位置を修正する。また、境界修正手段１０３は、上記時刻情報を変更するに際して、修正幅決定テーブル格納手段１０５から修正幅決定テーブル１１０を読み出して、変更すべき時間の幅（以下、修正幅）を決定する。
【００４０】
再生制御手段１０４は、用途受付手段１０２から出力された用途情報および境界修正手段から出力された時刻情報に基づいてＡＶ信号を再生し、モニタ１１に表示する。また、後述するＣＭ編集等において、画像のサムネイル表示等の編集作業用に用いられる画面もモニタ１１に表示する。
【００４１】
修正幅決定テーブル格納手段１０５は、上記修正幅決定テーブル１１０を格納する。例えば、ハードディスクや不揮発性メモリが修正幅決定テーブル格納手段１０５に該当する。
【００４２】
なお、図２に示すＣＭ検出手段１０１および境界修正手段１０３は、典型的には集積回路であるＬＳＩとして実現されてもよい。ＣＭ検出手段１０１および境界修正手段１０３は、個別に１チップ化されても良いし、一部または全てを含むように１チップ化されても良い。また、集積回路化の手法は、ＬＳＩに限るものではなく、専用回路または汎用プロセッサで実現してもよい。
【００４３】
次に、本実施形態で用いられるデータについて説明する。図４は、上述した修正幅の決定のために用いられる修正幅決定テーブル１１０の一例を示した図である。修正幅決定テーブル１１０は、あらかじめ作成され、修正幅決定テーブル格納手段１０５に保存されている。図４において、修正幅決定テーブル１１０は、ＣＭ数およびＣＭ区間長に対して修正幅が対応づけられる構成である。つまり、修正幅決定テーブル１１０においては、ＣＭ数とＣＭ区間長とに応じて、修正幅が定められている。ここで、ＣＭ数とは、１つのＣＭ区間の中に含まれている単位ＣＭ区間の数を示す。また、ＣＭ区間長とは、ＣＭ区間の時間的な長さをいい、ＣＭ区間の終端の時間から始端の時間を引いた時間である。なお、図４において、アスタリスク（＊）は、ＣＭ境界の位置を修正するのではなく、ＣＭ境界を消去することを示している。
【００４４】
次に、編集再生装置１０が実行する処理の概要を説明する。まず、図５および図６を用いて、ＣＭスキップ再生が視聴用途として選ばれたときに境界修正手段１０３が行う処理の概要について説明する。図５および図６は、あるＡＶコンテンツを再生する場合における、境界修正手段１０３による修正処理の概要を示す図である。なおここでは、説明の便宜のため、上記再生対象となるＡＶコンテンツの一部分のみ抜粋して説明する。図５において、グラフ（Ａ）は、真の（実際の）番組区間およびＣＭ区間の構成を示し、グラフ（Ｂ）は、ＣＭ検出手段１０１によって検出された番組区間およびＣＭ区間の構成を示し、グラフ（Ｃ）は、境界修正手段１０３による修正後の番組区間およびＣＭ区間の構成を示す。図５においては、ＣＭ検出手段１０１によって検出されたＣＭ区間（Ａ−Ｄ間）は、真のＣＭ区間（Ｂ−Ｅ間）に対して、その始端が後側にずれて検出されている。つまり、真のＣＭ区間の直前にかかる番組部分がＣＭ区間の一部として検出されている。一方、検出されたＣＭ区間の終端Ｄは、前側にずれて検出されている。つまり、まだ真のＣＭ区間が番組区間の一部として検出されている。
【００４５】
図５に示すグラフ（Ｂ）に従ってＣＭスキップ再生を行うと、真のＣＭ区間直前の番組部分（ＡＢ間）がスキップされてしまうことになる。したがって、編集再生装置１０は、ＣＭ検出手段１０１により検出されたＣＭ区間の幅を縮小することによって、番組区間の見落としが起こらないようにする。
【００４６】
具体的には、境界修正手段１０３は、ＣＭ検出手段１０１により検出されたＣＭ区間の始端Ａおよび終端Ｄを、当該ＣＭ区間が狭まる方向へ所定の時間だけずらす（図５に示すグラフ（Ｃ）参照）。このずらす時間の幅、すなわち修正幅は、修正幅決定テーブル１１０（図４参照）を用いて決定する。例えば、単位ＣＭ区間の数が５で、ＣＭ区間の長さが９０秒であれば、修正幅は１５秒と決定される。境界修正手段１０３は、ＣＭ区間を修正した後の時刻情報を再生制御手段１０４に出力する。再生制御手段１０４は、修正後の時刻情報に基づいて、ＣＭスキップ再生を行い、モニタ１１に表示する。その結果、点Ｂまでは番組区間として再生が行われ、点Ｂから点Ｃまでの区間はＣＭ区間としてスキップされる。これによって、ＣＭ開始前の番組部分（ＡＢ間）の見落としを防ぐことができる。
【００４７】
なお、図４に示した修正幅決定テーブル１１０におけるアスタリスク（＊）は、上述したようにＣＭ境界を無くすことを意味している。つまり、修正幅がアスタリスクで示される場合、ＣＭ区間はスキップされずに番組区間の再生速度と同じ速度で再生されることになる。図４に示す修正幅決定テーブル１１０においては、ＣＭ区間長に対して単位ＣＭ区間の数が少ない場合、修正幅を示す欄にアスタリスク（＊）が記載されている。ＣＭ区間長に対して単位ＣＭ区間の数が少ないＣＭ区間は、実際には番組区間である可能性が高い。すなわち、このようなＣＭ区間が検出された場合、番組内における無音区間が誤ってＣＭ区間と検出された可能性が高い。したがって、編集再生装置１０は、このようなＣＭ区間をスキップせずに番組区間として再生するために、ＣＭ境界を消去するようにしている。
【００４８】
また、図６においては、図５とは逆に、ＣＭ検出手段１０１により検出されたＣＭ区間（ａ−ｄ間）は、真のＣＭ区間の始端および終端が後側にずれた形で検出されていることを示す図である。図６のような場合、境界修正手段１０３は、ＣＭ区間の始端の位置を点ａから点ｂに修正し、終端の位置を点ｄから点ｃに修正する（図６に示すグラフ（Ｃ））。これによって、真のＣＭ区間の終了直後にかかる番組部分（ｃｄ間）の見落としを防ぐことができる。
【００４９】
次に、図７〜図８を用いて、視聴用途としてＣＭ編集が選ばれたときに編集再生装置１０で行なわれる処理の概要について説明する。ここで、ＣＭ編集とは、番組ではなくＣＭのみを別メディア等に記録することをいう。ＣＭ編集を行う場合、まず、ユーザが記録したいＣＭ（単位ＣＭ区間）を見つけやすくするために、編集再生装置１０は、ＣＭ区間の境界にあたる画像やＣＭ区間内の各単位ＣＭ区間の境界を編集候補点として、サムネイル形式で画面に表示する。そして、ユーザは、画面に表示された編集候補点から任意の候補点を選択する。その後、ユーザは、ＣＭの境界位置の微調整を手操作で行った後に、記録したいＣＭの他のメディアへの記録等を行うものである。以上のような作業のためには、サムネイル表示を行うときに、ＣＭの取りこぼしが無いようにすることが望ましい。すなわち、ＣＭであるにも関わらず、当該ＣＭが番組であると検出され、その結果、編集候補点として採用されずサムネイルに表示されないという事態を無くす必要がある。
【００５０】
図７は、境界修正手段１０３による修正処理の概要を示す図である。図７において、グラフ（Ａ）は、真の番組区間およびＣＭ区間の構成を示し、グラフ（Ｂ）は、ＣＭ検出手段１０１によって検出された番組区間およびＣＭ区間の構成を示し、グラフ（Ｃ）は、境界修正手段１０３による修正後の番組区間およびＣＭ区間の構成を示す。上述した図５と同様に、図７においては、ＣＭ検出手段１０１によって検出されたＣＭ区間（ＢＥ間）は、真のＣＭ区間（ＣＦ間）に対して、その始端および終端が前側にずれて検出されている。そのため、真のＣＭ区間における最後のＣＭ（ＥＦ間）が番組区間として扱われることになる。
【００５１】
図７に示すグラフ（Ｂ）に従ってＣＭ編集を行うと、真のＣＭ区間における最後のＣＭ部分（ＥＦ間）が番組区間として扱われるため、当該最後のＣＭがサムネイルに表示されず欠落してしまう。したがって、編集再生装置１０は、ＣＭ検出手段１０１が検出したＣＭ区間の幅を拡大することによって、ＣＭ区間の最後のＣＭ（ＥＦ間）の欠落がないようにする。すなわち、図７において、ＣＭ検出手段１０１により検出されたＣＭ区間の両端を、当該ＣＭ区間が拡がる方向へ所定の時間だけずらす（図７に示すグラフ（Ｃ））。ずらす時間の幅、すなわち修正幅については、上述したＣＭスキップ再生のときと同様である。すなわち、境界修正手段１０３は、修正幅決定テーブル１１０を参照し、単位ＣＭ区間の数およびＣＭ区間長に応じて修正幅を決定する。そして、境界修正手段１０３は、修正後の時刻情報を再生制御手段１０４に出力する。再生制御手段１０４は、修正後の時刻情報に基づいて編集候補点を検索し、モニタ１１に表示する。ユーザは、当該編集候補点に基づいて、上述したようなＣＭの編集作業を行う。これにより、修正前のＣＭ区間では編集候補点としては表示されなかったＣＭについても、編集候補点として表示されることになり、ユーザの編集作業に際してのＣＭの取りこぼしを防ぐことができる。
【００５２】
また、図８においては、図７とは逆に、ＣＭ検出手段１０１により検出されたＣＭ区間（ｂ−ｄ間）は、真のＣＭ区間（ａ−ｃ間）に対して、始端および終端が後側にずれた形で検出されている。図８に示すグラフ（Ｂ）に従ってＣＭ編集を行うと、真のＣＭ区間開始直後のＣＭ（ａｂ間）が番組区間として検出されているため、編集候補点としてサムネイルに表示されないことになる。従って、編集再生装置１０は、図７の場合と同様にＣＭ区間の幅を拡大する（図８に示すグラフ（Ｃ））。その結果、真のＣＭ区間開始直後のＣＭについても、編集候補点として表示することが可能となる。
【００５３】
次に、図９を用いて、境界修正手段１０３が行う境界修正処理の詳細について説明する。図９は、境界修正処理の詳細を示すフローチャートである。図９において、まず、境界修正手段１０３は、ＣＭ検出手段１０１から出力される時刻情報からＣＭ数、およびＣＭ区間の長さの情報を取得する（ステップＳ１）。次に、境界修正手段１０３は、ユーザによって用途受付手段１０２から入力された用途情報がＣＭスキップ再生か否かを判定する（ステップＳ２）。その結果、ＣＭスキップ再生の場合は（ステップＳ２でＹＥＳ）、境界修正手段１０３は、修正幅決定テーブル１１０を参照して、ＣＭ数およびＣＭ区間の長さに基づき修正幅を決定する（ステップＳ３）。図４に示すように、修正幅決定テーブルにおいては、ＣＭ区間の長さと単位ＣＭ区間の数とに応じて、ずらす修正幅が定められている。例えば、ＣＭ区間の長さが９０秒で、単位ＣＭ区間の数が５であれば、修正幅は１５秒と決定される。次に、境界修正手段１０３は、ステップＳ３で決定した修正幅の長さだけＣＭ区間の始端を遅らせる（ステップＳ４）。続いて、境界修正手段１０３は、ステップＳ３で決定した修正幅の長さだけＣＭ区間の終端を早める（ステップＳ５）。その結果、図５のグラフ（Ｃ）で示されるような、ＣＭ検出手段１０１が検出したＣＭ区間の幅が縮小された形で修正後のＣＭ区間の時刻情報が作成される。なお、ステップＳ３で修正幅が“＊”に決定された場合、ステップＳ４およびＳ５において、境界修正手段は、ＣＭ境界を消去する処理を行う。すなわち、ＣＭ境界を消去すると判断されたＣＭ区間について、時刻情報に含まれている始端および終端の時刻を削除する。また、当該ＣＭ区間に含まれる単位ＣＭ区間の始端および終端の時刻を削除する。ステップＳ５の次に、境界修正手段１０３は、修正後の時刻情報を再生制御手段１０４に出力する（ステップＳ６）。
【００５４】
一方、ステップＳ２の判定の結果、用途情報がＣＭスキップ再生でないときは（ステップＳ２でＮＯ）、境界修正手段１０３は、用途情報がＣＭ編集であるか否かを判定する（ステップＳ７）。その結果、ＣＭ編集でもないときは（ステップＳ７でＮＯ）、そのまま境界修正処理を終了する。一方、ＣＭ編集であるときは（ステップＳ７でＹＥＳ）、境界修正手段１０３は、修正幅決定テーブル１１０を参照し、ＣＭ区間の長さおよび単位ＣＭ区間の数に基づいて、修正幅を決定する（ステップＳ８）。ここでは、説明の便宜のため、修正幅は１５秒と決定されたものとする。そして、境界修正手段１０３は、決定した修正幅に基づき、ＣＭ区間の始端を１５秒早める（ステップＳ９）。続いて、境界修正手段１０３は、ＣＭ区間の終端を１５秒遅らせる（ステップＳ１０）。その結果、図７のグラフ（Ｃ）や図８のグラフ（Ｃ）に示すような、ＣＭ検出手段１０１が検出したＣＭ区間の幅が拡大された形で、修正後のＣＭ区間の情報が作成される。そして、境界修正手段１０３は、当該修正後のＣＭ区間の時刻情報を再生制御手段１０４に出力する（ステップＳ１１）。以上で、境界修正手段１０３が行う境界修正処理は終了する。
【００５５】
このように、第１の実施形態では、ユーザのＡＶコンテンツ視聴用途に応じて、検出されたＣＭ区間の始端および終端の位置を修正することができる。その結果、ＣＭ区間の一部の誤検出に起因する、ユーザが視聴したい部分の欠落を防ぐことができる。つまり、誤検出されたＣＭ区間が再生されてしまうこと等によりユーザに与えてしまう不快感を軽減することができる。
【００５６】
（第２の実施形態）
次に、図１０から図１４を参照して、本発明の第２の実施形態について説明する。第１の実施形態では、使用していた修正幅決定テーブル１１０は１種類だけであった。第２の実施形態では、１種類の修正幅決定テーブルに限らず、複数種の修正幅決定テーブルを使用する。
【００５７】
まず、第２の実施形態で用いられる修正幅決定テーブルのバリエーションについて説明する。番組に挿入される番組区間およびＣＭ区間の位置や長さは、番組のジャンルや内容によって異なってくる。図１０は、ニュース番組とバラエティ番組における番組区間２０１およびＣＭ区間２０２の位置・長さの一例を示す図である。図１０のグラフ（Ａ）は、ニュース番組の例であり、グラフ（Ｂ）は、バラエティ番組の例である。また、図１０における各数値は、各区間の時間（分）を表している。図１０においては、同じ時間枠で放映されている番組であっても、ＣＭ区間２０２の挿入回数や一回あたりの長さが異なっている。その反面、番組開始後、最初に挿入されるＣＭ区間については、双方とも１分間という短い時間である。同様に、番組終了前のＣＭについても、１分間という短い時間となっている。また、番組の中ほどにおけるＣＭ区間は、番組開始後および終了前のＣＭ区間に比べ、長い時間となっている。そこで、ＣＭ区間が挿入される番組の経過時間割合での位置に着目して、修正幅決定テーブルを用意しておくことが考えられる。つまり、ＣＭ区間が挿入される時間帯が番組全体の経過時間からみて何％の位置にあるかに応じて修正幅を決定するような修正幅決定テーブル（以下、経過割合テーブルと呼ぶ）を使用することが考えられる。図１１は、経過割合テーブルの一例である。図１１においては、例えば、番組がまだ始まって間もないところ（５％）に存在するＣＭ区間については、修正幅を３０秒とすることが示されている。また、番組が半分（５０％）くらい進んだところに存在するＣＭ区間については、当該ＣＭ区間の修正幅を１５秒とすることが示されている。
【００５８】
また、ＣＭ区間の直前にかかる番組区間の長さに着目して修正幅を決定することも考えられる。これは、例えば、ＣＭ区間の直前の番組区間が１秒などといった、極端に短い時間である場合は、ＣＭ区間の一部が誤って番組区間と検出されている可能性が高い。このような場合は、ＣＭ区間と番組区間の境界を消去し、当該番組区間もＣＭ区間に含めることが望ましいため、等の理由によるものである。図１２は、ＣＭ区間の直前の番組区間長に応じて修正幅を決定する修正幅決定テーブル（以下、直前区間テーブルと呼ぶ）の一例である。なお、図中の”＊”は、上述したようにＣＭ区間自体を無くしてしまうことを意味している。図１２においては、例えば、ＣＭ区間の直前の番組区間が１分未満であれば、当該ＣＭ区間の境界を無くすことになる。
【００５９】
また、番組のジャンルや放映時間帯、更には、番組中におけるＣＭ区間の占める割合に応じて、使用する修正幅決定テーブルを変えることも考えられる。これは、例えば、同じ１時間の枠で放映されている番組であっても、放映時間帯やジャンルによって、ＣＭ区間の挿入回数や１つのＣＭ区間に挿入される単位ＣＭ区間の数は異なることや、ＣＭ放映は、時間帯によって広告料が異なるため、１回あたりに放映されるＣＭ区間長も時間帯によって異なること、更には、ＣＭ区間が番組に占める割合も番組によって異なることに着目したものである。図１３は、番組のジャンル、放映時間帯、ＣＭ区間の割合それぞれに応じて使用する修正幅決定テーブルを決めるための使用テーブル決定表（以下、決定表）の一例である。図１３において、決定表（Ａ）は、番組のジャンルと使用されるべき修正幅決定テーブルとが対応付けられている。同様に、決定表（Ｂ）は、放映時間帯と修正幅決定テーブルとが対応付けられ、決定表（Ｃ）は、ＣＭ区間が番組に占める割合と修正幅決定テーブルとが対応付けられている。決定表（Ａ）を用いる場合は、例えば、番組のジャンルがニュースであれば、修正幅決定テーブルＡを使用し、番組のジャンルがドラマであれば、修正幅決定テーブルＢを使用し、番組のジャンルがスポーツであれば、修正幅決定テーブルＣを使用することになる。ここで、図１３における修正幅決定テーブルＡ、Ｂ、Ｃ、Ｄは、図示は省略するが、上述の第１の実施形態で図４を用いて説明した修正幅決定テーブル１１０に対してＣＭ数およびＣＭ区間長に対して対応づけられる修正幅の値がそれぞれ異なって定義されているテーブルである。もちろん、上記決定表において対応付けられるテーブルについては、図４に示したような修正幅決定テーブルだけでなく、上記経過割合テーブルや直前区間テーブルを対応付けてもよい。
【００６０】
図１４は、本発明の第２の実施形態における編集再生装置２０のブロック図である。図１４において、編集再生装置２０は、上述した第１の実施形態で図２を用いて説明した編集再生装置１０の機能構成に番組情報抽出手段１０６およびテーブル決定手段１０７を加えたものに相当し、他の構成部は、第１の実施形態と同様である。従って、番組情報抽出手段１０６およびテーブル決定手段１０７以外の構成部については同一の参照符号を付して詳細な説明を省略する。
【００６１】
図１４において、番組情報抽出手段１０６は、通信回線やインターネットから送信された、または図示しない受信部によって受信された番組に関する情報（以下、番組情報と称す）を取得する。当該番組情報は、上述したような、使用すべき修正幅決定テーブルを決めるために用いられる。番組情報の例としては、番組のタイトルや放映時刻、ジャンル、出演者名や荒筋などが記載されたＥＰＧがあげられる。また、番組情報抽出手段１０６は、取得した番組情報をテーブル決定手段１０７へ出力する。
【００６２】
また、図１４において、修正幅決定テーブル格納手段１０５には、上述したような経過割合テーブルや直前区間テーブル等の複数の修正幅決定テーブルが格納されている。
【００６３】
テーブル決定手段１０７は、番組情報抽出手段１０６によって取得された番組情報に基づいて、境界修正手段１０３で使用される修正幅決定テーブルを決定する。そして、テーブル決定手段１０７は、決定した修正幅決定テーブル１１０について境界修正手段１０３に通知する。例えば、テーブル決定手段１０７は、上記番組情報から、まずジャンルについての情報を取得する。そして、上述した図１３（Ａ）に示したような決定表を用いて、ジャンルに応じて境界修正手段１０３で使用されるテーブルを決定する。なお、当該決定表は、テーブル決定手段１０７が有していてもよいし、修正幅決定テーブル格納手段１０５に持たせておき、必要に応じてテーブル決定手段１０７が読み出すようにしてもよい。また、番組情報から放送時間帯についての情報を取得すれば、図１３（Ｂ）に示した決定表を用いて、境界修正手段１０３で使用される修正幅決定テーブルを決定する。また、仮に、番組情報からジャンルや放送時間帯についての情報が取得できなかったときは、テーブル決定手段１０７は、ＣＭ検出手段１０１が検出したＣＭ区間の情報に基づいてＣＭ区間が番組に占める割合を算出する。そして、テーブル決定手段１０７は、図１３（Ｃ）に示した決定表を用いて、ＣＭの割合に応じて境界修正手段１０３で使用されるテーブルを決定するようにすればよい。
【００６４】
このように、第２の実施形態では、番組のジャンル等に応じて複数の修正幅決定テーブルを準備しておき、番組情報抽出手段１０６が取得した番組情報（例えばジャンル情報等）に応じて、使用する修正幅決定テーブルを使い分ける。これにより、ＣＭ境界の修正幅について、番組の内容に応じたより細かい調整が可能となる。
【００６５】
なお、番組によっては、ＣＭ直前の番組部分について、ユーザが続きを見たくなるように見所を出し切らないようにして、ＣＭが挿入されるものもある。その一方で、ニュースなどの番組ではＣＭに切り替わる前までに話題に区切りがつくように制作されているものもある。つまり、番組によっては、ＣＭ直前の番組部分とＣＭ直後の番組部分とでは情報の性質が関連しているものもあれば、全く繋がりを持たないものもある。そこで、個々の番組ごとに修正幅決定テーブルを事前に用意、あるいはユーザが設定できるようにしておいてもよい。例えば、ＣＭ前後の番組内容の関連性が低い番組であれば、修正幅を大きめに取るようなテーブルを用意しておくことが考えられる。そして、個々の番組ごとに修正幅決定テーブルを使い分けるようにしてもよい。これにより、個々の番組におけるＣＭ区間前後の番組内容の関連性に応じた修正幅の決定が可能となり、より細やかな調整が可能となる。
【００６６】
（第３の実施形態）
次に、図５、図６、図１５および図１６を参照して、本発明の第３の実施形態について説明する。上述の第１の実施形態では、例えば図６のグラフ（Ｂ）に示すような、ＣＭ検出手段１０１によって検出されたＣＭ区間では、番組区間の冒頭部分（ｃｄ間）がＣＭ区間として検出されている場合、当該ＣＭ区間の幅を縮小することで番組冒頭部分の欠落を防いでいた。その反面、当該ＣＭ区間の冒頭のＣＭ（ａｂ間）については、縮小後は番組区間として認識されることになる。そのため、ＣＭ検出手段１０１が検出したＣＭ区間前の番組区間（の前半部分）が終了しても、ＣＭ区間の冒頭部分（ａｂ間）がスキップされずに、番組区間の一部として再生されてしまう。第３の実施形態では、番組区間の一部となっているＣＭが再生されているときに、ユーザがスキップ指示を行うことで、ＣＭ区間の終了地点までスキップするものである。
【００６７】
図１５は、本発明の第３の実施形態に係る編集再生装置３０の構成を示したブロック図である。図１５において、編集再生装置３０は、上述した第１の実施形態で図２を用いて説明した編集再生装置１０の機能構成にスキップ受付手段１０８と判定手段１０９とを加えたものに相当し、他の構成部は、第１の実施形態と同様である。従って、スキップ受付手段１０８および判定手段１０９以外の構成部については同一の参照符号を付して詳細な説明を省略する。なお、図１５に示すＣＭ検出手段１０１、境界修正手段１０３および判定手段１０９は、典型的には集積回路であるＬＳＩとして実現してもよい。
【００６８】
図１５において、スキップ受付手段１０８は、リモコン１２に相当するものであり、ユーザからスキップ指示の入力を受け付けて判定手段１０９へ当該指示を出力する。判定手段１０９は、ＣＭ検出手段１０１から修正前のＣＭ区間の時刻情報を取得する。また、境界修正手段１０３から修正後のＣＭ区間の時刻情報を取得する。また、判定手段１０９は、用途受付手段１０２から上記用途情報を取得する。判定手段１０９は、スキップ受付手段１０８からスキップ指示を受けると、上記修正前後の時刻情報および用途情報を用いてスキップ先を判定し、当該スキップ先についての時刻情報（以下、スキップ先情報と呼ぶ）を再生制御手段１０４に出力する。
【００６９】
次に、上述した図５および図６を再度用いて、第３の実施形態におけるスキップ指示に係る動作の概要を説明する。まず、図６のグラフ（Ｂ）に示すような、真のＣＭ区間に対して後ろにずれる形でＣＭ区間が検出されている場合について説明する。この場合は、ＣＭ区間の幅を狭める修正により、修正前のＣＭ区間終了のときにかかる番組区間（ｃｄ間）の欠落を防ぐことはできた。その一方で、ＣＭ区間の始端についても後ろにずらしたため、修正後のＣＭ区間（図６に示すグラフ（Ｃ）のｂｃ間）の直前のＣＭ（ａｂ間）については番組区間として再生される。そこで、当該ＣＭ（ａｂ間）が再生されているときに、スキップボタンを押すことにより、次の番組区間の冒頭（点ｃ）までスキップさせる。また、図５のグラフ（Ｂ）に示すような、真のＣＭ区間に対してＣＭ検出手段１０１が検出したＣＭ区間が前側にずれた形で検出されている場合、修正後のＣＭ区間（図５に示すグラフ（Ｃ）のＢＣ間）がスキップされた後でも、なおＣＭ（ＣＤ間）が表示されることになる。そこで、このＣＭ（ＣＤ間）が表示されているときにスキップ操作が行われると、修正前のＣＭ区間の終端（点Ｄ）までスキップさせる。
【００７０】
次に、上述したような、ＣＭが再生されているときにユーザがスキップ操作を行った場合に判定手段１０９で行われる判定処理の詳細について説明する。図１６は、スキップ操作が行われたときに、判定手段１０９で行われる判定処理の詳細を示すフローチャートである。図１６において、まず、判定手段１０９は、スキップ操作が行われた時点（以下、スキップ指示時点と称す）が、現在再生中のＡＶコンテンツのどの時点に位置しているかを検出する（ステップＳ２０）。次に、判定手段１０９は、当該スキップ指示時点に最も近い修正前のＣＭ区間および修正後のＣＭ区間の位置（始端・終端の時刻）を検出する（ステップＳ２１）。
【００７１】
次に、判定手段１０９は、スキップ指示時点がステップＳ２１で検出した修正後のＣＭ区間の前に位置するか後ろに位置するかを判定する（ステップＳ２２）。その結果、スキップ指示時点が修正後のＣＭ区間の前に位置していれば（ステップＳ２２でＹＥＳ）、続いて当該スキップ指示時点がステップＳ２１で検出した修正前のＣＭ区間の前に位置するか否かを判定する（ステップＳ２３）。その結果、スキップ指示時点が修正前のＣＭ区間の前に位置していれば（ステップＳ２３でＹＥＳ）、当該スキップ時点は番組区間が再生されているときに指示されたものであるため、そのまま処理を終了する。すなわち、スキップは行われないことになる。一方、スキップ指示時点が修正前のＣＭ区間の後ろに位置していれば（ステップＳ２３でＮＯ）、図６のグラフ（Ｃ）に示すａｂ間が再生されているときにスキップ操作が行われたと考えられる。そのため、判定手段１０９は、修正後のＣＭ区間の終端までスキップすればよいと判定する。すなわち、スキップ先は修正後のＣＭ区間の終端（点ｃ）であると判定する（ステップＳ２４）。そして、判定手段１０９は、当該スキップ先情報を再生制御手段１０４に出力する。再生制御手段１０４は、当該スキップ先情報に基づいて点ｃまでスキップしてから続きを再生する。その結果、ＣＭが表示されているときにユーザがスキップ操作を行うと、修正後のＣＭ区間の終端までスキップされ、ＣＭ区間終了後の番組が即座に表示されることになる。
【００７２】
一方、ステップＳ２２の判定の結果、スキップ指示時点が修正後のＣＭ区間の後と判定された場合（ステップＳ２２でＮＯ）、続いて当該スキップ指示時点がステップＳ２１で検出した修正前のＣＭ区間の後ろに位置するかを判定する（ステップＳ２５）。その結果、スキップ指示時点が修正前のＣＭ区間の後ろに位置していれば（ステップＳ２５）でＹＥＳ）、当該スキップ時点は番組区間が再生されているときに指示されたものであるため、そのまま処理を終了する。すなわち、スキップは行われないことになる。一方、スキップ指示時点が修正前のＣＭ区間の前に位置していれば（ステップＳ２５でＮＯ）、図５のグラフ（Ｃ）のＣＤ間（修正後のＣＭ区間終了直後のＣＭ再生中）にスキップ操作がされたと考えられる。この場合は、判定手段１０９は、修正前のＣＭ区間の終端（図５に示すグラフ（Ｃ）の終端Ｄ）までスキップすればよいと判定する（ステップＳ２６）。すなわち、スキップ先は修正前のＣＭ区間の終端であると判定する。そして、判定手段１０９は、当該スキップ先情報を再生制御手段１０４に出力する。その結果、ＣＤ間のＣＭが再生されているときにユーザがスキップ操作を行うと、修正前のＣＭ区間の終端Ｄまでスキップされることになる。
【００７３】
このように、第３の実施形態では、ユーザによるスキップ指示によって修正前あるいは修正後のＣＭ区間の終端まで再生をスキップすることができる。これにより、番組区間を見落とすことなく、また、簡単な操作でＣＭをスキップすることができ、快適なＡＶコンテンツの視聴をユーザに提供することができる。
【００７４】
（第４の実施形態）
次に、図１７から図１８を参照して、本発明の第４の実施形態について説明する。第４の実施形態では、ＡＶコンテンツから特徴的イベント区間を抽出し、当該特徴的イベント区間を出力する。この際、特徴的イベント区間がＣＭ区間でもあるときには、当該特徴的イベント区間をＣＭ区間として扱い、出力しないようにする。
【００７５】
ここで、特徴的イベント区間とは、音響特徴や映像特徴で意味的なまとまりを有する区間をいう。例えば、音響特徴の観点からすると、音声や音楽、ジングルなど音のまとまりがある区間や、サイレンなど特定の意味をもつ音がまとまって現れる区間等が特徴的イベント区間に該当する。また、映像特徴という観点からすれば、テロップや人物、顔などの意味を持つ画像に着目し、これらがまとまって検出できる区間や、カット点やカメラワークなど、動きの変化が意味を有しており、この動きの変化に着目して検出できる区間が該当する。更には、上述の音響特徴および映像特徴を組み合わせたものも、特徴的イベント区間を構成する。
【００７６】
ここでは、サッカー中継におけるゴールシーン等のハイライト区間を特徴的イベント区間の一例として、以下説明を続ける。ハイライト区間の検出は、歓声に着目して行うものとする。例えば、スポーツ中継では、サッカーのゴールシーンや野球のホームランシーンなどでは一般的に大きな歓声が伴う。そのため、歓声の大きさが所定の閾値以上であれば、ハイライト区間として検出することができる。歓声の検出は、例えば、周波数分析を行い、特定の帯域のパワーレベルを比較し、パワーレベルが継続して所定の閾値より大きい部分歓声として検出することが考えられる。これを利用して、ハイライト区間を検出し、その区間だけを再生することによって、ＡＶコンテンツの内容を短時間で把握することができる。以下、このような再生を抜粋再生と称す。
【００７７】
図１７は、本発明の第４の実施形態に係る編集再生装置４０の構成を示したブロック図である。図１７において、編集再生装置４０は、上述した第１の実施形態で図２を用いて説明した編集再生装置１０の機能構成にイベント検出手段１１１を加えたものに相当し、他の構成部は、第１の実施形態と同様である。従って、イベント検出手段１１１以外の構成部については同一の参照符号を付して詳細な説明を省略する。図１７において、イベント検出手段１１１は、ＡＶ信号（ＡＶコンテンツ）から、上述したような特徴的イベント区間を検出する。また、当該特徴的イベント区間の番組内位置を示す時刻情報を、再生制御手段１０４に出力する。再生制御手段１０４は、境界修正手段１０３から入力される修正後のＣＭ区間の時刻情報および当該特徴的イベント区間の時刻情報に基づいてＡＶ信号をモニタに出力する。なお、図１７に示すＣＭ検出手段１０１、境界修正手段１０３およびイベント検出手段１１１は、典型的には集積回路であるＬＳＩとして実現してもよい。
【００７８】
次に、用途受付手段１０２から抜粋再生が指示されたときに編集再生装置４０で行われる抜粋再生の処理について、図１８を用いて説明する。図１８は、抜粋再生のために、イベント検出手段１１１によってハイライト区間Ｈ１からＨ１３が検出されたＡＶコンテンツの一部を示す図である。図１８において、点Ｃ−Ｆ間が真のＣＭ区間３０１である。点Ｂ−Ｅ間は、ＣＭ検出手段１０１により検出されたＣＭ区間３０２である。点Ａ−Ｆ間は、抜粋再生用に修正されたＣＭ区間３０３である。また、点Ｃ−Ｄ間は、後述するハイライト編集用に修正されたＣＭ区間３０４である。
【００７９】
ハイライト区間は、上述のように、パワーレベルの大きさで検出している。そのため、図１８においては、真のＣＭ区間３０１の中であっても、パワーレベルが大きい区間があると、その区間はハイライト区間として検出される。換言すると、検出された各ハイライト区間は、そのままではＣＭ区間内のものか、番組区間内のものかの区別はつかない。
【００８０】
一方、抜粋再生においては、短時間で番組の内容を把握することがユーザの目的となる。そのため、ハイライト区間の抽出に無駄の無いことが重要となる。しかし、上述のように検出したハイライト区間を単に抜粋再生しただけでは、ハイライト区間として検出されたＣＭが混じってしまう。このような抜粋再生においてＣＭが再生されることは、ユーザにとっては無駄なものが再生されることになり、短時間で番組の内容を把握するという目的にそぐわないものである。そのため、ＣＭ検出手段１０１により検出されたＣＭ区間３０２をハイライト区間の検索対象から外すことが考えられる。すなわち、再生制御手段１０４は、ハイライト区間のうち当該ＣＭ区間に含まれるものについて除外してからハイライト区間を再生する。しかし、この場合でも、ＣＭ検出手段１０１がＣＭ区間の位置を完全に検出できないことから、本来はＣＭであるにも関わらず番組区間として検出されたハイライト区間（図１８のＨ９やＨ１０）が再生されてしまう可能性がある。
【００８１】
そこで、境界修正手段１０３は、ＣＭ検出手段１０１で検出されたＣＭ区間３０２（ＢＥ間）の始端および終端を番組区間側にずらす。つまり、ＣＭ区間の幅を拡大する（ＣＭ区間３０３）。ずらす幅、すなわち修正幅については、上述の第１の実施形態と同様である。そして、境界修正手段１０３は、修正後のＣＭ区間３０３の時刻情報を再生制御手段１０４に出力する。これにより、ＣＭ検出手段１０１が検出できなかった単位ＣＭ区間（ＥＦ間）についてもＣＭ区間に含めることができる。そして、再生制御手段１０４は、ハイライト区間から修正後のＣＭ区間３０３に含まれるものを除いてハイライト区間を再生する。これにより、ＣＭ内のハイライトであるにも関わらず番組中のハイライト区間として検出・再生されることを抑えることができる。
【００８２】
このように、第４の実施形態では、ハイライト区間などの特徴的イベント区間から、当該区間と似たような特徴を有するＣＭ区間を除いて検出することが可能となる。これにより、ユーザにとって不要なハイライト区間（ＣＭ区間）が抜粋再生されることを防ぐことができる。
【００８３】
（第５の実施形態）
次に、図１８および図１９を参照して、本発明の第５の実施形態について説明する。第５の実施形態では、ＡＶコンテンツを番組区間内におけるハイライト編集用の視聴用途で用いる。ハイライト編集では、ＡＶコンテンツからハイライト区間を抽出し、そのハイライト区間を画面にサムネイル表示する。ユーザは、サムネイルから好きなハイライトシーンを選択し、別媒体に記録する。
【００８４】
本発明の第５の実施形態に係る編集再生装置５０は、上述した第４の実施形態で図１７を用いて説明した編集再生装置４０の機能構成にスキップ受付手段１０８を加えたものに相当し、他の構成部は、第４の実施形態と同様である。スキップ受付手段１０８以外の構成部については同一の参照符号を付して詳細な説明は省略する。スキップ受付手段１０８は、リモコン１２に相当し、ユーザからスキップ指示の入力を受け付け、再生制御手段１０４へ当該指示を出力する。
【００８５】
次に、上述した図１８を再度用いて、第５の実施形態にかかるハイライト編集処理について説明する。上述のように、図１８では、ハイライト区間Ｈ１からＨ１３がイベント検出手段１１１によって検出された状態が示されている。また、図１８においては、真のＣＭ区間３０１はＣＦ間である。これに対し、ＣＭ検出手段１０１で検出されたＣＭ区間３０２はＢＥ間である。そのため、ハイライト区間Ｈ４は、番組中のハイライト区間であるにも関わらず、ＣＭ区間内のハイライト区間として扱われる。その結果、番組内のハイライト区間をサムネイル表示するために、ＣＭ検出手段１０１で検出されたＣＭ区間３０２を除外してハイライト区間を表示すると、Ｈ４はサムネイル上に現れない。そのため、番組区間内のハイライトシーンであるにも関わらず、ハイライト編集の対象から漏れてしまう。そこで、サムネイル上にＨ４を表示するために、境界修正手段１０３は、ＣＭ検出手段１０１で検出されたＣＭ区間３０２（ＢＥ間）の幅をＣＤ間に縮め、ハイライト編集用ＣＭ区間３０４とする。この処理は第１の実施形態と同様の処理である。そして、境界修正手段１０３は、ハイライト編集用ＣＭ区間３０４の時刻情報を再生制御手段１０４に出力する。再生制御手段１０４は、イベント検出手段１１１から出力されたハイライト区間から、ハイライト編集用ＣＭ区間３０４に含まれるものを除いて、ハイライト区間をモニタ１１にサムネイル表示する。その結果、モニタ１１上には、Ｈ１からＨ４と、Ｈ７からＨ１３がサムネイル表示されることになる。つまり、ＣＭ検出手段１０１の検出結果では表示されなかったＨ４についても表示されることになる。
【００８６】
次に、上記モニタに表示されたサムネイル表示から、Ｈ７をユーザが選択したとする。Ｈ７は、本来、ＣＭ検出手段１０１で検出されたＣＭ区間３０２に含まれていたものである。そのため、ユーザがこのハイライト区間を視聴した結果、この区間はＣＭであるから不要であると判断する。そして、ユーザは、スキップ受付手段１０８を介して不要指示（スキップ指示）を出す。すると、再生制御手段１０４は、サムネイルに表示すべきハイライト区間群（編集候補としてのハイライト区間群）からＨ７（についての情報）を削除する。このとき、再生制御手段１０４は、修正前のＣＭ区間３０２の時刻情報を参照し、当該ＣＭ区間３０２内に存在しているＨ８についても一緒に削除する。そして、次のＨ９の時刻情報を再生制御手段１０４に出力する。再生制御手段１０４は、Ｈ９の再生を開始し、モニタ１１に出力する。つまり、ユーザによるスキップ指示を受けた時点のハイライト区間よりも後のハイライト区間であって、修正前のＣＭ区間３０２内に存在するハイライト区間についても、不要であるという評価を下す。その結果、再生制御手段１０４は、当該ハイライト区間についても編集候補から削除することになるのである。
【００８７】
このように、第５の実施形態では、ハイライト編集という視聴用途において、ＣＭ区間の境界を修正することによりハイライト区間の編集候補の取りこぼしを軽減することができる。また、ＣＭ区間が誤ってハイライト区間として検出、再生されても、ユーザの簡単な操作により、当該ＣＭ区間にかかるハイライト区間を削除することができる。その結果、快適な編集環境をユーザに提供することが可能となる。
【００８８】
なお、上述した各実施形態は、コンピュータに実行させるプログラムの形態で提供されてもよい。この場合は、編集再生装置の記憶部（図示せず）に格納された編集再生プログラムを読み込み、制御部（図示せず）が上述したような処理を実行すればよい。
【産業上の利用可能性】
【００８９】
本発明にかかるＡＶコンテンツ編集再生装置、編集再生方法、編集再生プログラムおよび編集再生回路は、検出されたＣＭ区間の境界位置の修正ができ、ハードディスクレコーダーやＤＶＤレコーダ等のＡＶコンテンツ視聴用機器等の用途に有用である。
【図面の簡単な説明】
【００９０】
【図１】ＡＶコンテンツ編集再生装置１０の概観図
【図２】ＡＶコンテンツ編集再生装置１０の構成を示したブロック図
【図３】時刻情報の一例を示した図
【図４】修正幅決定テーブル１１０の一例を示した図
【図５】真のＣＭ区間とＣＭ検出手段１０１により検出されたＣＭ区間および境界修正手段１０３により修正された後のＣＭ区間を示す図
【図６】真のＣＭ区間とＣＭ検出手段１０１により検出されたＣＭ区間および境界修正手段１０３により修正された後のＣＭ区間を示す図
【図７】真のＣＭ区間とＣＭ検出手段１０１により検出されたＣＭ区間および境界修正手段１０３により修正された後のＣＭ区間を示す図
【図８】真のＣＭ区間とＣＭ検出手段１０１により検出されたＣＭ区間および境界修正手段１０３により修正された後のＣＭ区間を示す図
【図９】境界修正処理の詳細を示すフローチャート
【図１０】番組が放映される時間枠の中で、どの程度ＣＭの挿入される時間があるかを示す図
【図１１】ＣＭ区間が挿入される番組全体に対する経過時間に基づいてＣＭ境界の修正幅を決定するテーブルの一例
【図１２】ＣＭが挿入される直前の番組区間長に応じて修正幅を決定する修正幅決定テーブルの一例
【図１３】使用する修正幅決定テーブルを決めるための決定表の一例を示す表
【図１４】本発明の第２の実施例における編集再生装置２０のブロック図
【図１５】本発明の第３の実施形態に係る編集再生装置３０の構成を示したブロック図
【図１６】判定手段１０９で行われる判定処理の詳細を示すフローチャート
【図１７】本発明の第４の実施形態に係る編集再生装置４０の構成を示したブロック図
【図１８】ハイライト区間Ｈ１〜１３が検出されたＡＶコンテンツの一部を示す図
【図１９】本発明の第５の実施形態に係る編集再生装置５０の構成を示したブロック図
【図２０】ある放送コンテンツにおける番組区間とＣＭ区間を模式的に示す図
【図２１】ＣＭ区間検出の一例を示す図
【符号の説明】
【００９１】
１０、２０、３０、４０、５０  編集再生装置
１１  モニタ
１２  リモコン
１０１  ＣＭ検出手段
１０２  用途受付手段
１０３  境界修正手段
１０４  再生制御手段
１０５  修正幅決定テーブル格納手段
１０６  番組情報抽出手段
１０７  テーブル決定手段
１０８  スキップ受付手段
１０９  判定手段
１１０  修正幅決定テーブル
１１１  イベント検出手段
２０１  番組区間
２０２  ＣＭ区間
３０１  真のＣＭ区間
３０２  ＣＭ検出手段１０１で検出されたＣＭ区間
３０３  番組抜粋再生用ＣＭ区間
３０４  ハイライト編集用ＣＭ区間
【図１】
0004387408.tif 000002
【図２】
0004387408.tif 000003
【図３】
0004387408.tif 000004
【図４】
0004387408.tif 000005
【図５】
0004387408.tif 000006
【図６】
0004387408.tif 000007
【図７】
0004387408.tif 000008
【図８】
0004387408.tif 000009
【図９】
0004387408.tif 000010
【図１０】
0004387408.tif 000011
【図１１】
0004387408.tif 000012
【図１２】
0004387408.tif 000013
【図１３】
0004387408.tif 000014
【図１４】
0004387408.tif 000015
【図１５】
0004387408.tif 000016
【図１６】
0004387408.tif 000017
【図１７】
0004387408.tif 000018
【図１８】
0004387408.tif 000019
【図１９】
0004387408.tif 000020
【図２０】
0004387408.tif 000021
【図２１】
0004387408.tif 000022